(57)【要約】【課題】この発明はマットレスのリクライニング機能を損なうことなく、基体に形成された収容部を利用することができるようにしたベッド装置を提供することにある。【解決手段】上面が開口し内部を収容部１ａとした箱形状の基体１と、長手方向の一端部がヒンジ機構３４によって起伏可能になっていて、上記基体に長手方向の一端部の起伏が阻止されることのない状態でリンク機構４によって上記基体の上面開口を閉塞した状態から開放する上昇方向に回動可能に連結されたマットレス３と、上記基体と上記マットレスとに一端と他端とを枢着して設けられその付勢力によって上記マットレスを上記基体の上面開口を開放する回動方向に付勢したガススプリング２２とを具備する。【選択図】      図１
2005176901.tif 000002
【特許請求の範囲】
【請求項１】
上面が開口し内部を収容部とした箱形状の基体と、
長手方向の一端部がヒンジ機構によって起伏可能になっていて、上記基体に長手方向の一端部の起伏が阻止されることのない状態でリンク機構によって上記基体の上面開口を閉塞した状態から開放する上昇方向に回動可能に連結されたマットレスと、
上記基体と上記マットレスとに一端と他端とを枢着して設けられその付勢力によって上記マットレスを上記基体の上面開口を開放する回動方向に付勢したガススプリングと
を具備したことを特徴とするベッド装置。（基体に対してマットレスの一端部或いは他端部どちらが連結されていてもよいことを含むクレーム）
【請求項２】
上面が開口し内部を収容部とした箱形状の基体と、
この基体の長手方向一端部の両側内面に一端を枢着して設けられたリンクを有するリンク機構と、
固定部及びこの固定部にヒンジ機構によって所定の起立角度で保持可能に連結された可動部とによって上記基体の上面とほぼ同じ大きさに形成されていて、下面の幅方向両端部に長手方向に沿うとともに上記固定部だけに固定された保持部材が設けられ上記リンクの他端が上記保持部材の上記可動部に対応する長手方向の一端部に枢着されたマットレスと、
上記マットレスの長手方向一端部と上記基体の長手方向一端部に一端と他端とをそれぞれ回動可能に連結して設けられその付勢力によって上記マットレスを上記リンク機構を支点として他端部が上昇する回動方向に付勢したガススプリングと
を具備したことを特徴とするベッド装置。
【発明の詳細な説明】
【技術分野】
【０００１】
この発明は基体を物品の収容部として利用することができるようにしたベッド装置に関する。
【背景技術】
【０００２】
一般に、ベッド装置は箱形状の基体を有する。この基体の長手方向一端にはヘッドボードが立設されている。基体の上面には床板体が設けられ、この床板体の上面にはマットレスが載置される。
【０００３】
このような構成のベッド装置において、上記基体の内部空間を小物類を収容するための収容部として利用できるようにしたものがある。基体の内部空間を収容部として利用する場合、上記基体を上面が開口した箱形状に形成するとともに、この基体に対して上記床板体を回動可能に連結する。そして、床板体を回動上昇させることで、上記基体の上面を開放し、内部空間である収容部に小物類を出し入れできるようにしている。
【０００４】
基体を収容部として利用する場合、上記床板体の幅方向の一端を上記基体の幅方向一端に回動可能に連結して開閉可能としたり、長手方向の一端を基体の長手方向一端に回動可能に連結して開閉可能にするようにしている。
【０００５】
いずれの構成においても、上記床板体の回動上昇を軽い力で楽に行なうことができるようにするとともに、倒伏させるときに床板体が緩やかに下降するようにするため、基体と床板体との間にガススプリングを設けるということが行なわれている。
【０００６】
従来、上記床板体の長手方一端を基体に回動可能に連結したベッド装置においては、上記ガススプリングの一端を上記基体の長手方向他端部に連結し、他端を上記床板体の長手方向中途部に連結するということが行なわれていた。それによって、床板体を上昇方向に回動させると、ガススプリングが倒伏した状態から起立方向に回動しながら伸長し、上記床板体を弾性的に支持するようになっている。
【発明の開示】
【発明が解決しようとする課題】
【０００７】
ところで、上記ガススプリングの一端を上記基体の長手方向他端部に連結し、他端を上記床板体の長手方向中途部に連結した場合、床板体を上昇方向に回動させると、ガススプリングは上昇した床板体の長手方向中途部と、基体の他端との間に起立し、基体の側方を塞ぐ状態となる。そのため、基体の側方から収容部に小物類を出し入れするときに、起立したガススプリングが邪魔になり、収容部が使い難いということがある。
【０００８】
また、基体の他端部と床板体の中途部とをガススプリングで連結するだけでは、上昇した床板体をさらに押上げるなどして床板体を必要以上に上昇方向に回動させてしまうことがある。その場合、ガススプリングは最大長さ以上に伸長させられることになるから、ガススプリングに無理な力が作用し、損傷してしまうということがある。
【０００９】
一方、上記床板体にマットレスを載置する構成によると、床板体を上昇方向に回動させたときに、上記マットレスが床板体上からずれ落ちるということがある。そこで、マットレスがずれ落ちるのを防止するために、上記床板体をマットレスと一体化して基体に回動可能に連結するということが考えられている。
【００１０】
しかしながら、その場合、マットレスが一端部をヒンジ機構によって所定の回動角度で起こすことができるリクライニング式の場合、そのマットレスのリクライニング機能を損なうことなく床板体と一体化することが難しいうということがある。
【００１１】
この発明は、マットレスを上昇方向に回動させて基体の収容部を利用する場合に、ガススプリングが邪魔になることがなく、しかもガススプリングが必要以上に伸ばされるのを防止できるるばかりか、マットレスのリクライニング機能を損なうことなく回動上昇させることができるようにしたベッド装置を提供することにある。
【課題を解決するための手段】
【００１２】
この発明は、  上面が開口し内部を収容部とした箱形状の基体と、
長手方向の一端部がヒンジ機構によって起伏可能になっていて、上記基体に長手方向の一端部の起伏が阻止されることのない状態でリンク機構によって上記基体の上面開口を閉塞した状態から開放する上昇方向に回動可能に連結されたマットレスと、
上記基体と上記マットレスとに一端と他端とを枢着して設けられその付勢力によって上記マットレスを上記基体の上面開口を開放する回動方向に付勢したガススプリングと
を具備したことを特徴とするベッド装置にある。
【００１３】
この発明は、上面が開口し内部を収容部とした箱形状の基体と、
この基体の長手方向一端部の両側内面に一端を枢着して設けられたリンクを有するリンク機構と、
固定部及びこの固定部にヒンジ機構によって所定の起立角度で保持可能に連結された可動部とによって上記基体の上面とほぼ同じ大きさに形成されていて、下面の幅方向両端部に長手方向に沿うとともに上記固定部だけに固定された保持部材が設けられ上記リンクの他端が上記保持部材の上記可動部に対応する長手方向の一端部に枢着されたマットレスと、
上記マットレスの長手方向一端部と上記基体の長手方向一端部に一端と他端とをそれぞれ回動可能に連結して設けられその付勢力によって上記マットレスを上記リンク機構を支点として他端部が上昇する回動方向に付勢したガススプリングと
を具備したことを特徴とするベッド装置にある。
【発明の効果】
【００１４】
この発明によれば、マットレスを上昇方向に回動させると、ガススプリングは基体とマットレスの一端部の側方で起立するため、基体の収容部を利用するときにガススプリングが邪魔になることがない。しかも、基体とマットレスとがリンク機構によって連結されているため、このリンク機構によってガススプリングが必要以上に伸張して損傷するのが阻止される。さらに、マットレスの一端部の起伏が阻止されことなく基体に回動可能に連結されるため、このマットレスのリクライニング機能が損なわれることがない。
【発明を実施するための最良の形態】
【００１５】
以下、図面を参照しながらこの発明の一実施の形態を説明する。
【００１６】
図１に示すこの発明のベッド装置は基体１を備えている。この基体１は上面が開口し、内部を収容部２とした矩形箱形状に形成されている。この基体１の上面開口は後述するマットレス３によって開閉されるようになっている。このマットレス３は上記基体１の平面形状とほぼ同じ大きさの矩形板状をなしていて、その長手方向一端部の幅方向両側部はそれぞれリンク機構４によって後述するごとく回動可能に連結されている。
【００１７】
上記マットレス３は図２乃至図４に示すように、矩形枠状の第１のボトムフレーム３１と、この第１のボトムフレーム３１よりも短い矩形枠状に形成された第２のボトムフレーム３２とを備えている。各ボトムフレーム３１，３２の長手方向一端部の幅方向両側部上面にはそれぞれ矩形板状の台座３３が設けられ、これら台座３３に取り付けられたヒンジ機構３４によって上記第２のボトムフレーム３２は第１のボトムフレーム３１に対して回動可能かつ所定の回動角度で保持可能に連結されている。
【００１８】
なお、上記ヒンジ機構３４は、図２に示すように第１のアーム３５ａと第２のアーム３５ｂとの一端が枢着されてなり、一方のアームが他方のアームに対して所定の回動角度で段階的に保持されるようになっているとともに、最大保持角度よりもさらに上昇方向に回動させると、一方のアームの保持上体が解除され、一対のボトムフレーム３１，３２が水平に戻るようになっている。
【００１９】
上記第１、第２のボトムフレーム３１，３２の上面にはスプリングユニット３７が設けられている。このスプリングユニット３７は図２と図３に示すように１本の線材によって複数のコイルばね部３８ａが軸線をほぼ平行にして連続して形成された複数のばね体３８が各ボトムフレーム３１，３２の幅方向に並設されている。矩形状をなしたスプリングユニット３７の上面と下面との周縁部には、図３に示すようにそれぞれ上部枠線４１と下部枠線４２とが連結されている。各枠線４１，４２は、第１のボトムフレーム３１と第２のボトムフレーム３２との連結部分でそれぞれ２つの部分に分断されている。
【００２０】
上記スプリングユニット７の幅方向両側で、上記一対のヒンジ機構３４に対応する長手方向中途部の部分には、上記ヒンジ機構３４との干渉を防止するための凹部３９が形成されている。この凹部３９は、スプリングユニット３７の幅方向両側に位置するばね体３８の一部を除去して形成されている。  
なお、ヒンジ機構３４は、スプリングユニット３７がぶつかって騒音が発生するのを防止するために厚手の布地などからなる接触防止部材４３（図２に示す）で覆われている。
【００２１】
図２に示すように、上記スプリングユニット３７の上面にはウレタンフォームなどによってシート状に形成された弾性材４４が設けられ、この弾性材４４が設けられた上面と外周面は外装体４５によって覆われている。この外装体４５は２枚の布地４５ａの間にシート状弾性材４５ｂを設け、これら三者を一体的にキルティングして形成されている。この外装体４５の周縁部は、第１、第２のボトムフレーム３１，３２の下面周縁部にタッカーなどによって固定されている。
【００２２】
第２のボトムフレーム３２の、第１のボトムフレーム３１とヒンジ機構３４によって連結された長手方向一端と反対側の他端の下面には紐状の操作部材４６の一端が連結固定されている。この操作部材１６の他端を第２のボトムフレーム２が上昇する方向に引けば、ヒンジ機構１４を作動させながら第２のボトムフレーム３２を上昇方向に回動させることができる。第２のボトムフレーム３２を所定の角度まで起上させたならば、上記操作部材４６から手を離せば、その位置で第２のボトムフレーム３２を上記ヒンジ機構３４によって倒伏不能に保持できる。
【００２３】
なお、各ボトムフレーム３１，３２の下面は下地４７によって被覆されている。  
第２のボトムフレーム３２を起上させると、その起上に応じてスプリングユニット３７が屈曲される。スプリングユニット３７の上下面周縁部に設けられた上下の枠線４１，４２はヒンジ機構３４と対応する箇所で分断されているから、枠線３１，３２がスプリングユニット３７の屈曲を妨げることがない。
【００２４】
上記第１、第２のボトムフレーム３１，３２の下面の幅方向両端部には、これらボトムフレーム３１，３２がなす長さ寸法とほぼ同じ長さ寸法に形成された角筒状の一対の保持部材５１が上記第１のボトムフレーム３１だけに固定されて設けられている。上記保持部材５１はたとえばアルミニウムや合成樹脂などによって形成されていて、上記第１のボトムフレーム３１の下面に埋設されたナット５２にねじ５３によって着脱可能に取付け固定されている。したがって、第２のボトムフレーム３１は上記第１のボトムフレーム３１に対し、ヒンジ機構３４によるリクライニング機能が損なわれることのない状態となっている。
【００２５】
すなわち、上記構成のマットレス３は、第１のボトムフレーム３１とスプリングユニット３７の上記第１のボトムフレーム３１上の部分とで固定部３ａを構成しており、第２のボトムフレーム３２とスプリングユニット３７の上記第２のボトムフレーム３２上の部分とで起伏可能な可動部３ｂを構成している。
【００２６】
上記リンク機構４は、図１、図５及び図６に示すようにアングル材からなる一対の第１の連結部材６を有する。この連結部材６は、上記マットレス３の下面に設けられた保持部材５１の、第２のボトムフレーム３２の下面側に位置する長手方向一端部に一辺が取付け固定されている。この第１の連結部材６の上記マットレス３の末端側に位置する一端部には、第１のリンク７の一端が第１の支軸８によって回動可能に連結されている。
【００２７】
上記第１の連結部材６の長手方向中途部には第２のリンク９の一端が第２の支軸１１、によって回動可能に連結されている。この第２のリンク９は上記第１のリンク７よりも長尺に形成されている。なお、第１、第２のリンク７，９は帯状部材の幅方向一端に折り曲げ片７ａ，９ａを全長にわたって形成して断面形状をＬ字状とすることで、曲げに対する強度の向上が図られている。
【００２８】
上記基体１の長手方向一端部の両側板１ａの内面には第２の連結部材１２が上記基体１の長手方向に沿って取付け固定されている。つまり、第２の連結部材１２は帯状部材からなり、両端部には図５と図９に示すように上記基体１の内面から離間する方向に一対の山型部１３が折曲形成されている。この山型部１３の両側にはそれぞれ一対の取付け孔１４が穿設されている。そして、上記第２の取付け部材１２は上記各取付け孔１４から基体１の側板１ａに捩じ込まれたねじ１５によって取付け固定されている。
【００２９】
上記基体１の各側板１ａの内面の上記第２の取付け部材１２が設けられた部分は図１に鎖線で示すカバー１６によって覆われている。それによって、マットレス３を回動させ、その回動に第１、第２のリンク７，９が連動しても、収容部２に収容された小物類などの物品がこれらリンク７，９の他端部に挟まれるのが防止されるようになっている。  
なお、この実施の形態では、上記第１、第２のリンク７，９及び第１、第２の連結部材６，１２とで上記リンク機構４を構成している。
【００３０】
上記第１のリンク７の他端は上記第２の取付け部材１２の一方の山型部１３に第３の支軸１７によって回動可能に連結され、上記第２のリンク９の他端は他方の山型部１３に第４の支軸１８によって回動可能に連結されている。図９に示すように、各支軸１７，１８と各リンク７，９との間にはブッシュ１９が設けられ、山型部１３と各リンク７，９の側面との間にはワッシャ２１が設けられている。それによって、各リンク７，９は山型部１３に対して円滑に回動可能となっている。
【００３１】
図５と図６に示すように、上記第１の連結部材６の上記第２のリンク９の一端が連結された箇所よりもやや他端寄りの箇所にはガススプリング２２の一端、つまりシリンダ２２ａの一端が枢着されている。このガススプリング２２の他端、つまりロッド２２ｂの先端は上記第２のリンク９の他端部に枢着されている。
【００３２】
図６に示すように、上記マットレス３がほぼ水平に倒伏して基体１の上面開口を閉塞した状態では、上記ガススプリング２２は縮小している。つまり、ロッド２２ｂは突出方向の付勢力に抗してシリンダ２２ａ内に没入している。このとき、ガススプリング２２は収容部２内で倒伏し、マットレス３の下面に対する角度が小さくなっているから、その付勢力がマットレス３に強く作用せず、それによってマットレス３は倒伏状態で保持されている。
【００３３】
マットレス３を図５に示すように上昇方向に回動させると、その回動につれてガススプリング２２が起立してくる。それによって、マットレス３に作用するガススプリング２２の付勢力が増大するから、マットレス３を軽い力で上昇させることが可能となる。図５に示すように所定の角度で上昇したマットレス３を図６に示すように倒伏させる場合には、ガススプリング２２の付勢力がマットレス３の自重を支えるから、このマットレス３を軽い力で緩やかに倒伏させることが可能となる。
【００３４】
図８に示すように、上記第２のリンク９の一端部にはガイド軸２５がこのリンク９の板面に対してほぼ直角に取付け固定されている。このガイド軸２５にはストッパリンク２６が一端部に形成された取付け孔２７を回転可能に嵌合させている。つまり、ストッパリンク２６は上記ガイド軸２５を支点として回動可能であるとともに、このガイド軸２５の軸方向、つまり回動方向と直交する方向に沿って変位可能になっている。上記ガイド軸２５の先端には上記ストッパリンク２６がガイド軸２５から抜出するのを防止するＣリンク２５ａが取付けられている。
【００３５】
上記ストッパリンク２６の他端部には係止部材としての軸状の係止突起２８が第２のリンク９に向かって突設されている。図５と図８に示すように、ストッパリンク２６が第２のリンク９に重合した状態では上記係止突起２７は上記第２のリンク９の一端部に穿設された第１の係合孔２９に係合可能となっている。
【００３６】
図５に示すように、上記第１の連結部材６の長手方向中途部で、上記第２のリンク９の一端部が枢着された箇所の近くには係合部としての第２の係合孔３１が形成されている。
【００３７】
上記マットレス３を図５に示すように所定の角度まで回動上昇させたとき、上記ストッパリンク２６をガイド軸２５に沿って第２のリンク９から離れる方向に変位させ、他端に設けられた係止突起２８を第１の係合孔２９から外す。ついで、このストッパリンク２６を図５に矢印で示す方向へ回動させて上記係止突起２８を第２の係止孔３１に対向させた後、ストッパリンク２６をガイド軸２５に沿って第２のリンク９に近づく方向へ変位させれば、上記係止突起２８が第２の係止孔３１に係合する。それによって、第２のリンク９の回動が阻止されるから、マットレス３は上昇方向及び下降方向のいずれにも回動不能に保持される。
【００３８】
上記構成のベッド装置によれば、図６に実線で示すようにマットレス３が倒伏した状態から、図５に示すように回動上昇させれば、基体１の上面の開口が開放されるから、収容部２に小物類などの物品を出し入れすることができる。
【００３９】
マットレス３を上昇方向に付勢するためのガススプリング２２は、シリンダ２２ａの端部とロッド２２ｂの先端とを、基体１の長手方向一端部と、マットレス３の長手方向一端部とにそれぞれ枢着して基体１の幅方向両側に設けられている。
【００４０】
そのため、上記基体１の収容部２を利用するため、マットレス３を回動上昇させると、ガススプリング２２はマットレス３の回動上昇に連動して図６に示す倒伏状態から図１と図５に示すように基体１の長手方向一端部の幅方向両側で起立する。
【００４１】
基体１の長手方向一端部の両側で起立した一対のガススプリング２２は、収容部２の両側を塞ぐことがないから、基体１の側方から収容部２に小物類を出し入れするときにガススプリング２２が邪魔になるということがない。
【００４２】
上記マットレス３は基体１に対してガススプリング２２だけでなく、第１、第２のリンク７，９によっても連結されている。そのため、マットレス３を上昇方向に回動させたとき、このマットレス３の最大上昇角度は上記リンク７，９によって制限され、それに応じてガススプリング２２の最大長さも制限されるから、ガスプリング２２が必要以上に引き伸ばされて損傷するのを防止できる。
【００４３】
上記マットレス３を上昇方向に所定の角度まで回動させると、その位置でストッパリンク２６によって第２のリンク９がマットレス３に対して回動するのを阻止することができる。つまり、マットレス３が上昇した状態で、ストッパリンク２６によってリンク機構４を作動不能に固定することができる。
【００４４】
そのため、マットレス３を回動上昇させた状態で確実に保持することができるから、収容部２に小物類などを出し入れしている際に、上記マットレス３が不用意な外力によって下降するのを防止できる。
【００４５】
上記ガススプリング２２は基体１の長手方向一端部と、マットレス３の長手方向一端部とに連結されている。そのため、従来のようにガススプリング２２を基体１の長手方向他端部と、マットレス３の長手方向中途部とに連結して設ける場合に比べ、上記ガススプリング２２の長さ寸法を十分に短くすることができるから、その分、ガススプリング２２のコスト低減を図ることができる。
【００４６】
上記リンク機構４の連結部材６は、マットレス３の下面に設けられた保持部材５１の一端部に取付け固定されている。この保持部材５１の一端部は上記マットレス３に対して固定されていない。
【００４７】
そのため、マットレス３の一端部、つまり第１のボトムフレーム３１にヒンジ機構３４によって起伏可能に連結された第２のボトムフレーム３２側の端部は、マットレス３の一端部がリンク機構４によって基体１に連結されているにも係わらず、操作部材４６を上方へ引くことで、図６に実線で示す水平に倒伏した状態から鎖線で示すように起上させ、所定の角度で保持することができる。つまり、マットレス３はヒンジ機構３４によるリクライニング機能を損なうことなく、基体１に回動可能に設けることができる。
【００４８】
なお、上記一実施の形態ではリンク機構が作動するのを阻止するストッパ機構としてストッパリングを用いたが、ストッパリンクに代わり、床板体を回動上昇させたときに、第１のリンク或いは第２のリンクを、ピンなどによって基体に係止してその回動を阻止する構成であってもよい。
【図面の簡単な説明】
【００４９】
【図１】この発明の一実施の形態を示すベッド装置のマットレスを上昇させて基体の上面を開放させた斜視図。
【図２】マットレスの長手方向に沿う縦断面図。
【図３】マットレスのボトムフレームとスプリングユニットを分解して示す斜視図。
【図４】マットレスの下面側を示す図。
【図５】マットレスを回動上昇させた状態を基体を断面して示す側面図。
【図６】マットレスを水平に倒伏させた状態を基体を断面して示す側面図。
【図７】リンク機構の平面図。
【図８】リンク機構の第１の連結部材と第２のリンクとの連結部分の断面図。
【図９】リンク機構の第２の連結部材とリンクとの連結構造の断面図。
【符号の説明】
【００５０】
１…基体、２…収容部、３…マットレス、４…リンク機構、２３…ガススプリング、３４…ヒンジ機構。
【図１】
2005176901.tif 000003
【図２】
2005176901.tif 000004
【図３】
2005176901.tif 000005
【図４】
2005176901.tif 000006
【図５】
2005176901.tif 000007
【図６】
2005176901.tif 000008
【図７】
2005176901.tif 000009
【図８】
2005176901.tif 000010
【図９】
2005176901.tif 000011